(57)【要約】【課題】外部操作ハンドル組立体と内部ハンドルの中心が一致していなくても、前記外部操作ハンドル組立体の回転力が内部ハンドルに正確に伝達されるようにする、遮断器のカップリング装置を提供する。【解決手段】本発明による遮断器のカップリング装置は、外部操作ハンドル組立体１０に結合される第１カプラ１１０と内部ハンドル２に結合される第２カプラ１２０間に曲面状の第３カプラ１３０が備えられることにより、外部操作ハンドル組立体１０と内部ハンドル２が同軸となっていない場合であっても、第１カプラ１１０、第２カプラ１２０及び第３カプラ１３０が遮断器本体１の上面に対して傾斜して同一線上に回転力を伝達するので、ユーザが外部操作ハンドル１２を回す力が内部ハンドル２にそのまま伝達されて遮断器の誤作動を防止することができ、それにより配線用遮断器の信頼性を向上させることができる。【選択図】図２
2014229610.tif 000002
【特許請求の範囲】
【請求項１】
遮断器本体を有する配電盤の外部に設置される外部操作ハンドル組立体と、
前記遮断器本体に回転可能に設置されて遮断器を操作できるようにする内部ハンドルと、
前記外部操作ハンドル組立体と前記内部ハンドル間に設置されて前記外部操作ハンドル組立体の回転力を前記内部ハンドルに伝達するカップリング組立体とを含み、
前記カップリング組立体は、
前記外部操作ハンドル組立体に結合される第１カプラと、
前記内部ハンドルに結合されて前記第１カプラにより軸方向に拘束される第２カプラと、
前記第１カプラと前記第２カプラ間に結合されて前記第１カプラによる回転力を前記第２カプラに伝達する第３カプラとを含むことを特徴とする遮断器のカップリング装置。
【請求項２】
前記第１カプラには前記外部操作ハンドル組立体の軸方向に突出する少なくとも１つの第１カップリング突部が形成され、前記第２カプラには前記第１カップリング突部に対応して軸方向に突出する少なくとも１つの第２カップリング突部が形成され、
前記第１カップリング突部と前記第２カップリング突部間に前記第３カプラが挿入されることを特徴とする請求項１に記載の遮断器のカップリング装置。
【請求項３】
前記第１カップリング突部と前記第２カップリング突部が干渉する軸方向長さより、前記第１カップリング突部又は前記第２カップリング突部と前記第３カプラが接する軸方向長さのほうが短くなるように形成されることを特徴とする請求項２に記載の遮断器のカップリング装置。
【請求項４】
前記第３カプラは、
前記第１カップリング突部と前記第２カップリング突部の内周面の内側に備えられる本体部と、
前記本体部の外周面から放射状に突設され、前記第１カップリング突部の円周方向側面と前記第２カップリング突部の円周方向側面間に位置して前記第１カプラによる回転力を前記第２カプラに伝達する複数の摺動突部とからなることを特徴とする請求項２又は３に記載の遮断器のカップリング装置。
【請求項５】
前記第１カップリング突部の円周方向側面と前記第２カップリング突部の円周方向側面に接する前記摺動突部の円周方向側面は曲面状に形成されることを特徴とする請求項４に記載の遮断器のカップリング装置。
【請求項６】
前記摺動突部の円周方向側面は、長軸と短軸を有する断面楕円形状に形成されることを特徴とする請求項４又は５に記載の遮断器のカップリング装置。
【請求項７】
前記第１カプラと前記第２カプラ間には圧縮コイルばねからなるカップリングスプリングが備えられる請求項１〜６のいずれか一項に記載の遮断器のカップリング装置。
【請求項８】
前記カップリングスプリングは前記第３カプラの本体部に挿入されることを特徴とする請求項７に記載の遮断器のカップリング装置。
【請求項９】
前記摺動突部の軸方向高さは、前記第１カップリング突部の軸方向高さ又は前記第２カップリング突部の軸方向高さより高くなるように形成されることを特徴とする請求項４〜８のいずれか一項に記載の遮断器のカップリング装置。
【請求項１０】
前記摺動突部の円周方向側面は、前記第１カップリング突部又は前記第２カップリング突部に半径方向のいずれか一地点で点接触するように形成されることを特徴とする請求項４〜９のいずれか一項に記載の遮断器のカップリング装置。
【請求項１１】
前記第３カプラの円周方向側面に接する前記第１カップリング突部の円周方向側面と前記第２カップリング突部の円周方向側面は、曲面状に形成されることを特徴とする請求項１〜１０のいずれか一項に記載の遮断器のカップリング装置。
【請求項１２】
前記第１カプラと前記第２カプラは、カップリングボルトにより結合されて軸方向に拘束されることを特徴とする請求項１〜１１のいずれか一項に記載の遮断器のカップリング装置。
【発明の詳細な説明】
【技術分野】
【０００１】
本発明は、外部操作ハンドル組立体と内部ハンドルメカニズム間に備えられる遮断器のカップリング装置に関する。
【背景技術】
【０００２】
一般に配線用遮断器とは、電線の保護、負荷の開閉、過負荷や短絡事故発生時の線路遮断を行う安全装置である。配線用遮断器は、過負荷や短絡などの事故電流が発生すると電路を遮断するために負荷を開閉（ON/OFF）する機能を有し、負荷の開閉は機械的な動作により行われるように構成されている。
【０００３】
配線用遮断器は、配電盤の内部空間に遮断器本体が設置され、配電盤の外部には外部ハンドルを備え、遮断器本体のオン／オフ動作を制御する外部操作ハンドル組立体が露出するように設置されている。
【０００４】
外部操作ハンドル組立体は、配電盤パネルに設置されており、ユーザが外部から配線用遮断器を操作できるようにする装置である。
【０００５】
このような外部操作ハンドル組立体は、配線用遮断器の動作が配電盤パネルの外部に円滑に伝達されるようにし、逆に外部の動作が配線用遮断器に円滑に伝達されるようにもする。
【０００６】
図６は従来の配線用遮断器と外部操作ハンドル組立体を示す分解斜視図であり、図７は図６の配線用遮断器と外部操作ハンドル組立体の連結部位を示す縦断面図であり、図８は図７の配線用遮断器と外部操作ハンドル組立体の組立状態の一例を示す縦断面図である。
【０００７】
図６を参照すると、従来の配線用遮断器は、配電盤の内部に設置される遮断器本体１と、遮断器本体１に回転可能に設置されて配線用遮断器を操作できるようにする内部ハンドル２と、内部ハンドル２を操作できるように配電盤パネル５に設置されて内部ハンドル２に連結される外部操作ハンドル組立体１０とを含む。
【０００８】
外部操作ハンドル組立体１０は、配電盤パネル５に設置されるカバー１１と、カバー１１に回転可能に設置されて配電盤パネル５の外部からユーザが操作する外部操作ハンドル１２と、外部操作ハンドル１２に連結されてその外部操作ハンドル１２の動作を内部ハンドル２に伝達するシャフト１３とからなる。
【０００９】
また、外部操作ハンドル組立体１０と内部ハンドル２の間には、外部操作ハンドル組立体１０の回転力を内部ハンドルに伝達できるようにカップリング組立体２０が結合されている。
【００１０】
カップリング組立体２０は、シャフト１３に結合される第１カプラ２１と、内部ハンドル２に結合される第２カプラ２２と、第１カプラ２１と第２カプラ２２間に備えられて軸中心を保持するカップリングスプリング２３と、第１カプラ２１と第２カプラ２２を結合するカップリングボルト２４とからなる。
【００１１】
第１カプラ２１の一側面中央にはキー部２１ａが形成され、第１カプラ２１のキー部２１ａに対応する第２カプラ２２の一側面中央には、第１カプラ２１のキー部２１ａが挿入されてシャフトにより第１カプラ２１に印加される回転力を第２カプラ２２に伝達するようにキー溝部２２ａが形成されている。
【００１２】
このような配線用遮断器と外部操作ハンドル組立体１０が組み立てられた状態でユーザが外部操作ハンドル１２を回転させると、その回転力がシャフト１３と第１カプラ２１に伝達され、その回転力は第１カプラ２１のキー部２１ａと第２カプラ２２のキー溝部２２ａにより内部ハンドル２に伝達されて配線用遮断器のオン／オフ操作が行われる。
【発明の概要】
【発明が解決しようとする課題】
【００１３】
しかし、このような従来の配線用遮断器においては、前記遮断器の設置時に外部操作ハンドル組立体１０と内部ハンドル２間に発生し得る組立公差を考慮して第１カプラ２１のキー部２１ａと第２カプラ２２のキー溝部２２ａ間に遊びを設ける必要があるが、外部操作ハンドル組立体１０と内部ハンドル２が同軸となっていない場合、図８のように、カップリング組立体１０の第１カプラ２１と第２カプラ２２がずれることにより、キー部２１ａの一部がキー溝部２２ａから離脱して接触しなくなると、外部操作ハンドル組立体１０の回転力が内部ハンドル２に正確に伝達できなくなり、信頼性が低下するという問題があった。
【００１４】
本発明は、上記問題を解決するためになされたものであり、外部操作ハンドル組立体と内部ハンドルの中心が一致していなくても、前記外部操作ハンドル組立体の回転力が前記内部ハンドルに正確に伝達されるようにする、遮断器のカップリング装置を提供することを目的とする。
【課題を解決するための手段】
【００１５】
上記目的を達成するために、本発明は、遮断器本体を有する配電盤の外部に設置される外部操作ハンドル組立体と、前記遮断器本体に回転可能に設置されて遮断器を操作できるようにする内部ハンドルと、前記外部操作ハンドル組立体と前記内部ハンドル間に設置されて前記外部操作ハンドル組立体の回転力を内部ハンドルに伝達するカップリング組立体とを含み、前記カップリング組立体は、外部操作ハンドル組立体に結合される第１カプラと、前記内部ハンドルに結合されて前記第１カプラにより軸方向に拘束される第２カプラと、前記第１カプラと第２カプラ間に結合されて前記第１カプラによる回転力を前記第２カプラに伝達する第３カプラとを含むことを特徴とする遮断器のカップリング装置を提供する。
【００１６】
よって、内部ハンドルと外部操作ハンドル組立体が同軸となっていない場合であっても、第１カプラ、第２カプラ及び第３カプラが遮断器本体の上面に対して傾斜して同一線上で回転力を伝達するので、ユーザが外部操作ハンドルを回す力が内部ハンドルにそのまま伝達されて遮断器の誤作動を防止することができ、それにより配線用遮断器の信頼性を向上させることができる。
【００１７】
ここで、前記第１カプラには前記外部操作ハンドル組立体の軸方向に突出する少なくとも１つの第１カップリング突部が形成され、前記第２カプラには前記第１カップリング突部に対応して軸方向に突出する少なくとも１つの第２カップリング突部が形成され、前記第１カップリング突部と前記第２カップリング突部間に前記第３カプラが挿入されてもよい。
【００１８】
また、前記第１カップリング突部と前記第２カップリング突部が干渉する軸方向長さより、前記第１カップリング突部又は前記第２カップリング突部と前記第３カプラが接する軸方向長さのほうが短くなるように形成されてもよい。
【００１９】
さらに、前記第３カプラは、前記第１カップリング突部と前記第２カップリング突部の内周面の内側に備えられる本体部と、前記本体部の外周面から放射状に突設され、前記第１カップリング突部の円周方向側面と前記第２カップリング突部の円周方向側面間に位置して前記第１カプラによる回転力を前記第２カプラに伝達する複数の摺動突部とからなり、前記第１カップリング突部の円周方向側面又は前記第２カップリング突部の円周方向側面に接する前記摺動突部の円周方向側面は曲面状に形成されてもよい。
【００２０】
さらに、前記摺動突部の円周方向側面は、長軸と短軸を有する楕円状に形成されてもよい。
【００２１】
さらに、前記第１カプラと前記第２カプラ間には圧縮コイルばねからなるカップリングスプリングが備えられ、前記カップリングスプリングは前記第３カプラに挿入されて備えられてもよい。
【００２２】
さらに、前記摺動突部の軸方向高さが前記第１カップリング突部の軸方向高さ又は前記第２カップリング突部の軸方向高さより高くなるように形成されてもよい。
【００２３】
さらに、前記摺動突部の円周方向側面は、前記第１カップリング突部又は前記第２カップリング突部に半径方向のいずれか一地点で点接触するように形成されてもよい。
【００２４】
さらに、前記摺動突部の円周方向側面に接する前記第１カップリング突部の円周方向側面又は前記第２カップリング突部の円周方向側面は、曲面で形成されてもよい。
【発明の効果】
【００２５】
本発明による遮断器のカップリング装置は、内部ハンドルと外部操作ハンドル組立体が同軸となっていない場合であっても、第１カプラ、第２カプラ及び第３カプラが遮断器本体の上面に対して傾斜して同一線上で回転力を伝達するので、ユーザが外部操作ハンドルを回す力が内部ハンドルにそのまま伝達されて遮断器の誤作動を防止することができ、それにより配線用遮断器の信頼性を向上させることができる。
【図面の簡単な説明】
【００２６】
【図１】本発明の配線用遮断器と外部操作ハンドル組立体を示す分解斜視図である。
【図２】図１の配線用遮断器におけるカップリング組立体を示す分解斜視図である。
【図３】図２のカップリング組立体において内部ハンドルと外部操作ハンドル組立体が同軸となっている場合の組立状態を示す縦断面図である。
【図４】図２のカップリング組立体において内部ハンドルと外部操作ハンドル組立体が同軸となっていない場合の組立状態を示す縦断面図である。
【図５】図３のカップリング組立体の他の実施形態を示す縦断面図である。
【図６】従来の配線用遮断器と外部操作ハンドル組立体を示す分解斜視図である。
【図７】図６の配線用遮断器と外部操作ハンドル組立体の連結部位を示す縦断面図である。
【図８】図７の配線用遮断器と外部操作ハンドル組立体の組立状態の一例を示す縦断面図である。
【発明を実施するための形態】
【００２７】
以下、添付図面を参照して本発明による遮断器のカップリング装置の一実施形態について詳細に説明する。なお、従来技術と同一の構成要素には同一の符号を付す。
【００２８】
図１は本発明の配線用遮断器と外部操作ハンドル組立体を示す分解斜視図であり、図２は図１の配線用遮断器におけるカップリング組立体を示す分解斜視図であり、図３は図２のカップリング組立体において内部ハンドルと外部操作ハンドル組立体が同軸となっている場合の組立状態を示す縦断面図であり、図４は図２のカップリング組立体において内部ハンドルと外部操作ハンドル組立体が同軸となっていない場合の組立状態を示す縦断面図である。
【００２９】
同図に示すように、本実施形態によるカップリング装置が備えられた配線用遮断器は、配電盤の内部には選択的に線路を遮断する遮断器本体１が設置され、遮断器本体１の上面には配線用遮断器を操作するための内部ハンドル２が設置され、配電盤パネル５には外部から内部ハンドル２を操作できるように外部操作ハンドル組立体１０が設置される。
【００３０】
外部操作ハンドル組立体１０は、配電盤パネル５に設置されるカバー１１と、カバー１１に回転可能に設置されて配電盤パネル５の外部からユーザが操作する外部操作ハンドル１２と、外部操作ハンドル１２に連結されてその外部操作ハンドル１２の動作を内部ハンドル２に伝達するシャフト１３とからなる。
【００３１】
また、外部操作ハンドル組立体１０と内部ハンドル２の間には、外部操作ハンドル組立体１０の回転力を内部ハンドル２に伝達できるようにカップリング組立体１００が結合されている。
【００３２】
カップリング組立体１００は、シャフト１３に結合される第１カプラ１１０と、内部ハンドル２に結合される第２カプラ１２０と、第１カプラ１１０と第２カプラ１２０間に備えられて第１カプラ１１０による回転力を第２カプラ１２０に伝達する第３カプラ１３０と、第３カプラ１３０に挿入され、第１カプラ１１０と第２カプラ１２０に両端が支持されて第１カプラ１１０と第２カプラ１２０の軸中心を保持するカップリングスプリング１４０と、第１カプラ１１０と第２カプラ１２０を結合するカップリングボルト１５０とからなる。
【００３３】
第１カプラ１１０には、軸方向に貫通してカップリングボルト１５０に締結するための締結孔１１１が形成され、第２カプラ１２０には、軸方向に貫通してカップリングボルト１５０に締結するための締結孔１２１が形成される。
【００３４】
ここで、内部ハンドル２と外部操作ハンドル組立体１０が同軸上に組み立てられないことがあるので、第１カプラ１１０と第２カプラ１２０が軸方向に離脱しない程度の遊びを有してカップリングボルト１５０により軸方向に拘束されるように、締結孔１１１、１２１の内径はカップリングボルト１５０の外径より大きく形成される。
【００３５】
第１カプラ１１０の一側面縁部には、複数のカップリング突部（以下、第１カップリング突部）１１２が円周方向に所定の間隔をおいて形成され、第１カップリング突部１１２に対応する第２カプラ１２０の一側面縁部には、第１カップリング突部１１２と噛み合ってシャフト１３により第１カプラ１１０に印加される回転力を第２カプラ１２０に伝達するように、複数のカップリング突部（以下、第２カップリング突部）１２２が円周方向に所定の間隔をおいて形成される。
【００３６】
図３に示すように、第１カップリング突部１１２と第２カップリング突部１２２は、互いに干渉し得る軸方向高さに形成され、第１カップリング突部１１２と第２カップリング突部１２２間に後述する第３カプラ１３０の摺動突部１３２が挿入されるように、円周方向に所定の間隔をおいて形成される。第１カップリング突部１１２の円周方向側面１１２ａと摺動突部１３２の円周方向一側面１３２ａが接し、第２カップリング突部１２２の円周方向側面１２２ａと摺動突部１３２の円周方向他側面１３２ｂが接するように形成される。
【００３７】
第３カプラ１３０には、カップリングスプリング１４０が挿入されるように本体部１３１が形成され、本体部１３１の外周面には、第１カップリング突部１１２の円周方向側面１１２ａと第２カップリング突部１２２の円周方向側面１２２ａ間に挿入され、第１カプラ１１０による回転力を第２カプラ１２０に伝達する摺動突部１３２が形成される。摺動突部１３２は、本体部１３１の外周面から放射状に突設され、円周方向に所定の間隔を有する。
【００３８】
本体部１３１は、その内側にカップリングスプリング１４０が挿入されるように環状に形成され、摺動突部１３２の円周方向両側面１３２ａ、１３２ｂは、断面楕円形状、すなわち第３カプラ１３０の摺動突部１３２の円周方向両側面１３２ａ、１３２ｂが第１カプラ１１０の第１カップリング突部１１２と第２カプラ１２０の第２カップリング突部１２２に常に半径方向のいずれか一地点で点接触するように形成されることが好ましい。こうすることにより、図４のように、第１カプラ１１０と第２カプラ１２０が同軸となっていない場合であっても、その傾いた角度だけ第３カプラ１３０が傾き、第１カプラ１１０が第２カプラ１２０に回転力を同一平面上で一直線に伝達することができる。
【００３９】
このために、図３のように、第１カプラ１１０の第１カップリング突部１１２と第２カプラ１２０の第２カップリング突部１２２が互いに干渉する軸方向長さより、第１カプラ１１０の第１カップリング突部１１２又は第２カプラ１２０の第２カップリング突部１２２と第３カプラ１３０の摺動突部１３２の円周方向両側面１３２ａ、１３２ｂが接する軸方向長さのほうが短くなるように形成されることが好ましい。すなわち、図３のように、第３カプラ１３０の摺動突部１３２の軸方向長さＨ１は、各カップリング突部１１２、１２２の軸方向長さＨ２より長くなるように形成される。
【００４０】
以下、本実施形態による遮断器のカップリング装置の動作について説明する。
配線用遮断器の内部ハンドル２と外部操作ハンドル組立体１０が組み立てられた状態でユーザが外部操作ハンドル１２を回転させると、その回転力がシャフト１３と第１カプラ１１０に伝達され、その回転力は第１カプラ１１０の第１カップリング突部１１２と第３カプラ１３０の摺動突部１３２、及び第２カプラ１２０の第２カップリング突部１２２により内部ハンドル２に伝達されて配線用遮断器のオン／オフ操作が行われる。
【００４１】
ここで、内部ハンドル２と外部操作ハンドル組立体１０が同軸となっている場合は、図３のように、第１カプラ１１０の第１カップリング突部１１２、第２カプラ１２０の第２カップリング突部１２２、及び第３カプラ１３０の摺動突部１３２が遮断器本体１の上面と同一線上で回転力を伝達するので、ユーザが外部操作ハンドルを回す力がそのまま内部ハンドルに伝達される。
【００４２】
それに対して、図４のように、内部ハンドル２と外部操作ハンドル組立体１０が同軸となっていない場合は、第１カプラ１１０の第１カップリング突部１１２の円周方向一側面１１２ａと第３カプラ１３０の摺動突部１３２の円周方向一側面１３２ａ、及び第２カプラ１２０の第２カップリング突部１２２の円周方向一側面１２２ａと第３カプラ１３０の摺動突部１３２の円周方向他側面１３２ｂがそれぞれ点接触し、第３カプラ１３０が遮断器本体１の上面に対して傾斜して第１カプラ１１０と同一軸線上で回転力を伝達するので、ユーザが外部操作ハンドル１２を回す力がそのまま内部ハンドル２に伝達される。
【００４３】
次に、本発明によるカップリング組立体の他の実施形態について説明する。
前述した実施形態は第３カプラの摺動突部が断面楕円形状に形成されていたが、本実施形態は、図５のように、第３カプラの摺動突部の円周方向側面は直線面であるのに対して、第１カップリング突部と第２カップリング突部の各円周方向両側面が曲面状に形成される。
【００４４】
本実施形態においても、内部ハンドル２と外部操作ハンドル組立体１０が同軸となっていない場合は、第１カプラ１１０の第１カップリング突部１１２と第３カプラ１３０の摺動突部１３２、及び第２カプラ１２０の第２カップリング突部１２２と第３カプラ１３０の摺動突部１３２がそれぞれ点接触し、第３カプラ１３０が遮断器本体１の上面に対して傾斜して第１カプラ１１０と同一軸線上で回転力を伝達するので、ユーザが外部操作ハンドル１２を回す力がそのまま内部ハンドル２に伝達される。
【００４５】
図示していないが、第１カップリング突部の円周方向側面、第２カップリング突部の円周方向側面、及びそれらに接する摺動突部の円周方向両側面の全てが曲面状に形成された場合も前述した作用効果を得ることができる。
また、前述した曲面は、楕円形に限定されるものではなく、円形であってもよい。
【符号の説明】
【００４６】
１    遮断器本体
２    内部ハンドル
５    配電盤パネル
１０    外部操作ハンドル組立体
１００    カップリング組立体
１１０    第１カプラ
１１２    第１カップリング突部
１１２ａ    第１カップリング突部の円周方向側面
１２０    第２カプラ
１２２    第２カップリング突部
１２２ａ    第２カップリング突部の円周方向側面
１３０    第３カプラ
１３１    本体部
１３２    摺動突部
１３２ａ    摺動突部の円周方向一側面
１３２ｂ    摺動突部の円周方向他側面
１４０    カップリングスプリング
１５０    カップリングボルト
【図１】
2014229610.tif 000003
【図２】
2014229610.tif 000004
【図３】
2014229610.tif 000005
【図４】
2014229610.tif 000006
【図５】
2014229610.tif 000007
【図６】
2014229610.tif 000008
【図７】
2014229610.tif 000009
【図８】
2014229610.tif 000010